(57)【要約】【課題】自動糸条巻取装置の切り替え時に発生するフライ糸を巻取位置のボビンに侵入する前に捕捉し、フライ糸が含まれるパッケージをなくすことで、高品位なパッケージを製造する。【解決手段】満巻ボビンホルダを巻取位置から待機位置に、空ボビンを待機位置から巻取位置に移動させて糸切り替えを行う際に、２本のボビンホルダ間に挿入される２つのセパレータの待機位置側の面に、フライ糸捕捉部材を取り付けたことを特徴とするレボルビング式自動糸条巻取装置。【選択図】図５
2006206286.tif 000002
【特許請求の範囲】
【請求項１】
回動可能なターレットに２本のボビンホルダを回転可能に突設し、それぞれのボビンホルダに糸条巻取ボビンを装着し、巻取位置にある一方のボビンが満巻となった時ターレットを回動させて、満巻ボビンを待機位置に、待機位置にあった空ボビンを巻取位置に移動させるとともに、待機位置に移動された満巻ボビン側から巻取位置に移動された空ボビン側へ糸条を切り替えるようにし、該糸条の切り替えの際に、前記２本のボビンホルダの横断面の中心を結ぶ線の両側から、待機位置に移動された満巻ボビンのボビンホルダの回転方向に沿う方向に挿入され巻取位置に移動された空ボビンへの糸巻き付け機構をもつセパレータと、巻取位置に移動された空ボビンのボビンホルダの回転方向に対向する方向に挿入されるセパレータとを、両ボビンホルダの間にそれぞれ挿入するようにした糸条巻取装置であって、前記２つのセパレータが両ボビンホルダの間にそれぞれ挿入されたときに待機位置側となるセパレータ面に、フライ糸捕捉部材を取り付けたことを特徴とするレボルビング式自動糸条巻取装置。
【請求項２】
前記フライ捕捉部材が、線径２ｍｍ未満、網目の空隙が１〜１０ｍｍの金属、プラスチック、ゴム、繊維のいずれかで作られたネットで構成され、かつ該ネットが前記２つのセパレータが両ボビンホルダの間にそれぞれ挿入されたときに待機位置となるセパレータ面から１〜３０ｍｍ離間した位置に取り付けられたことを特徴とする、請求項１のレボルビング式自動糸条巻取装置。
【発明の詳細な説明】
【技術分野】
【０００１】
本発明は、レボルビング式糸条自動巻取装置に関し、とくに、糸切り替えにおいて発生するフライ糸が巻取中のボビンホルダ側に侵入することを防ぐことのできるレボルビング式自動糸条巻取装置に関する。
【背景技術】
【０００２】
合成繊維糸条の製造設備において、紡糸機から紡出された糸条をボビンが満巻になる毎に中断することなく連続的に巻き取る装置として、レボルビング式自動糸条巻取装置がある。このレボルビング式自動糸条巻取装置は、機台に回動自在に装着されたターレット上の１８０度対向位置にそれぞれボビンホルダを設けた２本のスピンドルを突設し、一方のボビンホルダを、糸条を綾振りさせるトラバース機構やボビンホルダ上のボビンに巻かれたパッケージに所定の面圧を付与するローラベイルを設けた巻取位置に配置し、他方のボビンホルダを待機位置に配置するようにして、巻取位置のボビンホルダが満巻になる毎にターレットを１８０度回転させ、巻取位置のボビンホルダを待機位置に、待機位置のボビンホルダを巻取位置に切り替えることにより糸条の連続巻取りを可能にするようにしている。
【０００３】
このようなレボルビング式自動糸条巻取装置においては、例えば特許文献１に開示される糸条巻取方法、例えば図１に示すように、２本のボビンホルダ３、３’の横断面の中心を結ぶ線の両側から２つのセパレータ１３、１３’を両ボビンホルダ３、３’の間にそれぞれ挿入するようにし、ボビンホルダ３の回転方向に沿うように挿入されるセパレータ１３’の挿入は、糸条Ｙが満巻ボビン４’から空ボビン４へ切り替わる前から始まり、切り替わった時点から、ピッグテールの形成が開始されるまでの間に完了し、一方、ボビンホルダ３の回転方向に対向するように挿入されるセパレータ１３の挿入は、前記セパレータ１３’の挿入が完了した時点またはそれ以降に完了するようにした糸条巻取方法が提案されている。
【０００４】
しかしながら、このような従来技術でも、実際にはフライ糸の巻取位置のボビンホルダへの侵入を完全に防止することはできない。図１は特許文献１に示される自動糸条巻取機において、巻取位置のボビンが満巻になったのち、待機位置の空ボビンを巻取位置にレボルビングし、その空ボビンに糸切り替えした直後の様子を示したものである。フライ糸の巻取位置のボビンホルダへの侵入を完全に防止することはできない理由は、機台１８に回動自在に装着されたターレット２を回動して糸条Ｙを満巻ボビン４’から空ボビン４へ切り替えると、満巻ボビン４’に連なる糸端Ｘがセパレータ１３、１３’と接触したときの擦過により、フライ糸が生じ、切り替え直後の待機位置の満巻ボビン４’の惰性回転で発生される随伴流によって、セパレータ１３、１３’の満巻ボビン３’側にある面Ｓに衝突する。しかし、一般的にセパレータ１３、１３’は鋼材、ステンレス、アルミなどの板材によって構成され、かつ随伴流はその衝突で消失することはなく、フライ糸を乗せた随伴流の一部は、セパレータ１３、１３’間のわずかな空隙や、ボビンホルダ３、３’が取り付けられている機台１８と反対側、すなわち満巻ボビン４’の玉揚げを行う側の空隙を通過して、巻取側のボビン４に侵入するのである。
【０００５】
また、前記巻取位置のボビンホルダの回転方向に沿ったように挿入されるセパレータ１３’に空ボビン４への糸巻き付け機構をもつレボルビング式自動糸条巻取装置においても、フライ糸の発生形態は同様であるが、さらにフライ糸は発生しやすい。
【０００６】
図２は、巻取位置のボビンホルダ３の回転方向に沿うように挿入されるセパレータ１３’に、空ボビン４への糸巻き付け機構をもつレボルビング式自動糸条巻取装置において、巻取位置にあったボビン４’が満巻になったのち、待機位置にあった空ボビン４を巻取位置にレボルビングし、その空ボビン４に糸切り替えした直後の様子を正面から示したものである。糸巻き付け機構をもつセパレータ１３’が２本のボビンホルダ３、３’の間に挿入される途中で、糸条Ｙはセパレータ１３’の先端に取り付けられた糸掛けガイド１４で捕捉され、挿入が完了した時点では糸掛けガイド１４および糸道規制バー５で屈曲させられる。さらに糸掛けガイド１４がボビン４に付与された糸把持手段（図示せず）側へ移動することによって、糸条Ｙは該糸把持手段で把持され糸条Ｙが切断することによって糸切り替えが完了する。その際、ボビン４に付与された糸把持手段で切断された糸条Ｕは、糸掛けガイド１４および糸道規制バー５を経由し満巻ボビン４’に巻き取られるが、その際に糸条Ｙは糸掛けガイド１４および糸道規制バー５で擦過され糸にダメージが与えられた状態で満巻ボビン４’に巻き取られる。そのため、ダメージが与えられた糸端が形成されることになり、満巻ボビン４’の惰性回転によって糸端がセパレータ１３、１３’に接触したときにフライ糸を発生させやすくなる。
【０００７】
巻取側の満巻ボビンにフライ糸が侵入すると、巻き上がったパッケージの中に５ｍｍ〜３０ｍｍ長のフライ糸が含まれてしまい、後工程でパッケージの欠点として扱われる。また、巻き上がったパッケージからフライ糸を取り除くためには、パッケージが後工程に流れる前に人手をかけてフライ糸を除去する必要がある。
【特許文献１】特開昭６３−２２５０７２号公報（特許請求の範囲）
【発明の開示】
【発明が解決しようとする課題】
【０００８】
本発明の課題は、上述したような問題点を解決し、レボルビング式自動糸条巻取装置の切り替え時に発生するフライ糸を巻取位置のボビンに侵入する前に捕捉し、フライ糸が含まれるパッケージをなくすことで、高品位なパッケージを製造することにある。
【課題を解決するための手段】
【０００９】
上記課題を解決するために、本発明に係るレボルビング式自動糸条巻取装置は、回動可能なターレットに２本のボビンホルダを回転可能に突設し、それぞれのボビンホルダに糸条巻取ボビンを装着し、巻取位置にある一方のボビンが満巻となった時ターレットを回動させて、満巻ボビンを待機位置に、待機位置にあった空ボビンを巻取位置に移動させるとともに、待機位置に移動された満巻ボビン側から巻取位置に移動された空ボビン側へ糸条を切り替えるようにし、該糸条の切り替えの際に、前記２本のボビンホルダの横断面の中心を結ぶ線の両側から、待機位置に移動された満巻ボビンのボビンホルダの回転方向に沿う方向に挿入され巻取位置に移動された空ボビンへの糸巻き付け機構をもつセパレータと、巻取位置に移動された空ボビンのボビンホルダの回転方向に対向する方向に挿入されるセパレータとを、両ボビンホルダの間にそれぞれ挿入するようにした糸条巻取装置であって、前記２つのセパレータが両ボビンホルダの間にそれぞれ挿入されたときに待機位置側となるセパレータ面に、フライ糸捕捉部材を取り付けたことを特徴とするものからなる。
【００１０】
このレボルビング式自動糸条巻取装置においては、上記フライ捕捉部材が線径２ｍｍ未満、網目の空隙が１〜１０ｍｍの金属、プラスチック、ゴム、繊維のいずれかで作られたネットで構成され、かつ該ネットが前記２つのセパレータが両ボビンホルダの間にそれぞれ挿入されたときに待機位置となるセパレータ面から１〜３０ｍｍ離間した位置に取り付けられていることが好ましい。
【発明の効果】
【００１１】
本発明によれば、レボルビング式自動糸条巻取装置の糸切り替え時に発生するフライ糸を、従来の方法に比べ、より確実に巻取位置のボビンホルダに侵入することを防ぎ、このことにより、高品位のパッケージを得ることができる。
【発明を実施するための最良の形態】
【００１２】
以下に、本発明について、望ましい実施の形態とともに詳細に説明する。
図３は、本発明の一実施態様に係るレボルビング式自動糸条巻取装置を示しており、この糸条巻取装置において、巻取位置のボビンが満巻になったのち、待機位置の空ボビンを巻取位置にレボルビングし、その空ボビンに糸切り替えするときの様子を正面から示したものである。図３において、１は巻取部であり、ターレット２の周上に１８０度の間隔で一対のボビンホルダ３、３’が取り付けられ、それぞれにボビン４、４’が装着されている。また、一対のボビンホルダ３、３’の周方向に挟まれる中間位置に、それぞれ糸道規制バー５，５’が取り付けられている。巻取部１の上方にはトラバース装置６が配置されている。トラバース装置６は、複数組の回転ブレード７を並べ、図４にも示すように、振り支点ガイド８から供給される糸条Ｙを、これら回転ブレード７を左右に移動させながらトラバース案内板９に沿わせて綾振りするようになっている。図３では、レボルビング直後の状態を示し、満巻ボビン４’を装着したボビンホルダ３’が下側の待機位置に移動され、空ボビン４を装着したスピンドル（ボビンホルダ３）が上側の巻取位置に移動されている。
【００１３】
図４は上記トラバース装置を側面から見た図を示している。図３の状態から、図４に示すように、トラバース装置の上方の糸寄せガイド１０が、図の左右に移動し、その移動途中で糸条Ｙを引っ掛けて回転ブレード７から外し、かつトラバース域Ｗを越えてトラバース案内板９の側端部まで移動させる。その結果、振り支点ガイド８から供給される糸条Ｙは、糸導入板１１の左側縁ｃ、糸道規制バー５上の規制ピン１２を経て、巻き上げられる。図４において、１７は、トラバース案内板９に連結されたシリンダ、１９はそのシリンダピンを示している。また、図６は、２連巻取の場合の例を示している。
【００１４】
次いで、図５に示すように、セパレータ１３’が２本のボビンホルダ３、３’の間に挿入される途中で糸導入板１１の右側縁ｃと規制ピン１２との間の糸道ｅの糸条Ｙを引っかけ、空ボビン４に巻き掛けるように押圧する。その後、セパレータ１３’の先端に取り付けられた糸掛けガイド１４をスピンドル軸方向に移動させることにより、糸条Ｙが空ボビン４の端部に設けた糸捕捉機構１５（図４、図６）に捕捉され、糸条Ｙを空ボビン４へ巻き付かせることで糸切替が完了する。セパレータ１３はセパレータ１３の挿入が完了した時点またはそれ以降にボビンホルダ３、３’の間に挿入される。セパレータ１３、１３’には、図５に示すように２つのセパレータ１３、１３’が２つのボビンホルダの間にそれぞれ挿入されたときに、待機位置のボビン４’がある側のセパレータ面にフライ糸捕捉部材としてのネット１６、１６’が取り付けてある。すなわち、ネット１６、１６’はセパレータ１３、１３’と共に２つのボビンホルダの間に挿入される。
【００１５】
この糸切り換えの際に発生したフライ糸は、待機位置にある満巻ボビン３の惰性回転によって発生する随伴流により、セパレータ１３、１３’に付けられたネット１６、１６’に衝突する。
【００１６】
随伴流は複雑な流れであるために、フライ糸はネット１６、１６’の網目を通過しようとするが、フライ糸はネットの鋼線に絡み付き、一度絡みついたフライ糸は後からくる随伴流によって外れることはない。フライ糸を除去された随伴流の一部は、その後、セパレータ１３、１３’間のわずかな空隙や、満巻ボビンホルダの機台と反対側すなわち、満巻ボビンの玉揚げを行う側の空隙を通過して、巻取位置のボビン４に到達するが、既にフライ糸は除去されているため、巻取位置のボビン４の中に混入することはない。ネット１６、１６’に絡み付いたフライ糸は、定期的な清掃時などに除去されることが好ましい。
【００１７】
なお、糸切り替えの際に発生するフライ糸の大きさは、５〜３０ｍｍ程度であるため、ネット１６、１６’の網線の線径は２ｍｍ未満であることが好ましい。また、網目の空隙は１〜１０ｍｍであることが好ましい。
【００１８】
また、セパレータ１３、１３’の面から垂直の方向に１ｍｍ未満の位置に、セパレータ面から離間させてネット１６、１６’を取り付けると、フライ糸を乗せた随伴流がネット１６、１６’を通過せず、フライ糸がネット１６、１６’に絡み付かないため、セパレータ１３、１３’の面から垂直に１〜３０ｍｍ離した位置にネット１６、１６’を取り付けるのが好ましい。
【実施例】
【００１９】
以下に、本発明に係る自動糸条巻取装置の実施例と、従来技術の自動糸条巻取装置の比較例との比較を示す。対象となる合成繊維は次のようにして製造したものである。
【００２０】
すなわち、ポリエチレンテレフタレートのチップを紡糸温度３００℃で溶融し、紡糸口金より押し出し、冷却固化後、水エマルジョン油剤をオイリングローラにより付与し、その後所定の倍率で延伸され製造された合成繊維である。
【００２１】
上記方法で製造された合成繊維を図３に示すレボルビング式自動糸条巻取装置で巻き取り、巻取位置のボビンホルダが満巻になった際にターレットを１８０度回転させ、巻取位置のボビンホルダを待機位置に、待機位置のボビンホルダを巻取位置に切り替えることにより糸条の連続巻取運転を実施し、満巻ボビンにフライ糸の侵入したドラム数／全ドラム数によってフライ糸侵入頻度を測定した。
【００２２】
その結果、従来技術でのフライ糸の侵入頻度が０．２１であったのに対し、本発明によるレボルビング式自動糸条巻取装置によるフライ糸の侵入頻度は０．１０であり、フライ糸の侵入頻度を大幅に抑制できることが確認できた。近年の大量かつ連続的に生産される合成繊維にとって、この効果は著しいものと考えられる。
【図面の簡単な説明】
【００２３】
【図１】従来の自動糸条巻取装置の正面図である。
【図２】従来の糸巻付け機構を持つセパレータを有するレボルビング式自動糸条巻取装置の正面図である。
【図３】本発明の一実施態様に係るレボルビング式自動糸条巻取装置の正面図である。
【図４】図３の装置のトラバース装置部を示す部分側面図である。
【図５】図３の装置のセパレータ作動状態を示す正面図である。
【図６】図３の装置の２連巻取の場合のトラバース装置部の例を示す部分側面図である。
【符号の説明】
【００２４】
１  巻取部
２  ターレット
３、３’  ボビンホルダ
４、４’  ボビン
５、５’  糸道規制バー
６  トラバース装置
７  回転ブレード
８  振り支点ガイド
９  トラバース案内板
１０  糸寄せガイド
１１  糸導入板
１２  規制ピン
１３、１３’  セパレータ
１４  糸掛けガイド
１５  糸捕捉機構
１６、１６’  ネット
１７  シリンダ
１９  シリンダピン
Ｓ  セパレータ面
Ｕ  切断された糸条
Ｗ  トラバース域
Ｘ  端糸
Ｙ  糸条
ｃ  糸導入板の側縁
ｅ  糸道
【図１】
2006206286.tif 000003
【図２】
2006206286.tif 000004
【図３】
2006206286.tif 000005
【図４】
2006206286.tif 000006
【図５】
2006206286.tif 000007
【図６】
2006206286.tif 000008